(57)【要約】【課題】筐体内部への異物の侵入を防止すると共に、筐体内部の機器を効率よく冷却する。【解決手段】電磁調理器１０の筐体１２の内部には、加熱コイルユニットＫＵおよびインバータユニットＩＵ等の機器が配設される。また筐体１２には、底面に吸気口１２ａが設けられると共に、背面に排気口１２ｂが設けられ、吸気口１２ａから吸込んだ外部の空気で機器を冷却し、熱交換後の空気を排気口１２ｂから外部に排出する。吸気口１２ａおよび排気口１２ｂには、フィルタ５２,５４が夫々配設され、排気用フィルタ５４のメッシュサイズを、吸気用フィルタ５２のメッシュサイズ以上の大きさに設定している。【選択図】図４
2007018765.tif 000002
【特許請求の範囲】
【請求項１】
筐体(12)の内部に配設した冷却ファン(50)を運転することで、該筐体(12)に設けた吸気口(12a)から吸込んだ外部空気で筐体(12)内に配設した機器(KU,IU)を冷却し、熱交換後の空気を筐体(12)に設けた排気口(12b)から外部に排出する空冷式の装置において、
前記排気口(12b)に配設した排気用フィルタ(54)のメッシュサイズを、前記吸気口(12a)に配設した吸気用フィルタ(52)のメッシュサイズ以上の大きさに設定した
ことを特徴とする空冷式の装置。
【請求項２】
前記排気用フィルタ(54)は、前記筐体(12)の外側に着脱自在に配設されている請求項１記載の空冷式の装置。
【請求項３】
前記機器として、高周波磁界を発生し、前記筐体(12)の上面に載置した被加熱物に誘導電流を発生させる加熱コイルユニット(KU)と、この加熱コイルユニット(IU)に電流を供給するインバータユニット(IU)を備える請求項１または２記載の空冷式の装置。
【発明の詳細な説明】
【技術分野】
【０００１】
この発明は、筐体の内部に配設した機器を、該筐体に設けた吸気口から吸込んだ外部空気で冷却し、熱交換後の空気を筐体に設けた排気口から外部に排出する空冷式の装置に関するものである。
【背景技術】
【０００２】
内部に設置した各種機器を空気によって冷却する空冷式の装置としては、例えば電磁調理器がある(例えば、特許文献１参照)。特許文献１の電磁調理器は、上部に被加熱物を載置するためのプレートを配設した筐体の内部に、該プレートの下方に位置して高周波磁界を発生して被加熱物に誘導電流を生じさせる加熱コイルと、この加熱コイルに高周波電流を供給する駆動回路とを備えている。筐体には、指が入らない程度の大きさに設定した複数の小孔で構成した吸気口が底面に設けられると共に、排気口が側面に設けられる。そして、電磁調理器の加熱調理に際して、筐体の内部における吸気口近傍に設置した冷却ファンを駆動することで、吸気口から外部の空気を取込んで、加熱コイルや駆動回路等の内部の機器と熱交換させてこれらの機器を冷却し、高温となった空気を排気口から外部へ排出している。
【０００３】
ところで、吸気口からの空気の取込みに伴って、塵埃や害虫等の異物が筐体の内部に侵入し、この異物が加熱コイルや駆動回路に付着して、冷却効率を悪化させたり、回路がショートして故障する虞れがある。そこで、吸気口の外側には、吸気口より小さいメッシュサイズの防塵フィルタが取付けられ、外部の空気の吸込みに際して、異物を筐体の内部に取込まないようにしている。
【特許文献１】特許第３２４６２７２号公報
【発明の開示】
【発明が解決しようとする課題】
【０００４】
このように、電磁調理器を使用している最中は、防塵フィルタで異物が除去された清浄な空気が吸気口から筐体内に取込まれる一方で、排気口から熱交換後の空気が外部へ排出されているから、排気口より異物が侵入することはない。しかし、加熱調理を行なっていない冷却ファンが停止した状態では、排気口から空気が排出されないので、該排気口から異物が侵入する虞れが指摘される。また、排気口に防塵フィルタを単純に設けただけでは、当該防塵フィルタにより排気口における空気の流通効率が悪化してしまうため、機器と熱交換した空気が良好に排出されず、筐体の内部温度が異常に昇温してしまう弊害がある。
【０００５】
すなわち本発明は、従来の技術に係る空冷式の装置に内在する前記問題に鑑み、これらを好適に解決するべく提案されたものであって、吸気口および排気口にフィルターを設けることで、筐体内部への異物の侵入を防止し得ると共に、筐体内部の機器を効率よく冷却し得る空冷式の装置を提供することを目的とする。
【課題を解決するための手段】
【０００６】
前記課題を克服し、所期の目的を達成するため、本願の請求項１に係る発明の空冷式の装置は、
筐体の内部に配設した冷却ファンを運転することで、該筐体に設けた吸気口から吸込んだ外部空気で筐体内に配設した機器を冷却し、熱交換後の空気を筐体に設けた排気口から外部に排出する空冷式の装置において、
前記排気口に配設した排気用フィルタのメッシュサイズを、前記吸気口に配設した吸気用フィルタのメッシュサイズ以上の大きさに設定したことを特徴とする。
請求項１に係る発明によれば、吸気口からだけでなく、排気口からも異物の侵入を防止し得るから、筐体の内部に配設した機器を好適に保護し得る。また、排気口に配設した排気用フィルタのメッシュサイズを、吸気口に配設した吸気用フィルタのメッシュサイズ以上の大きさに設定することで、筐体の内部に空気が滞留することなく、機器と熱交換した高温の空気を外部に良好に排出し得るから、機器の異常昇温を回避し得る。
【０００７】
請求項２に係る発明は、請求項１記載の空冷式の装置において、前記排気用フィルタは、前記筐体の外側に着脱自在に配設される。
請求項２に係る発明によれば、排気用フィルタを筐体の外側に着脱自在に配設することで、該フィルタの清掃や交換を容易に実施し得る。
【０００８】
請求項３に係る発明は、請求項１または請求項２記載の空冷式の装置において、前記機器として、高周波磁界を発生し、前記筐体の上面に載置した被加熱物に誘導電流を発生させる加熱コイルユニットと、この加熱コイルユニットに電流を供給するインバータユニットを備える。
請求項３に係る発明によれば、冷却ファンにより筐体の内部に空気流が生成されるから、加熱コイルユニットおよびインバータユニットを好適に冷却し得る。
【０００９】
本発明に係る空冷式の装置によれば、吸気口からだけでなく、排気口からも異物の侵入を防止し得るから、筐体の内部に配設した機器を好適に保護し得ると共に、排気用フィルタのメッシュサイズを、吸気用フィルタのメッシュサイズ以上の大きさに設定することで、筐体の内部に空気が滞留することなく、機器を良好に冷却し得る。
【発明を実施するための最良の形態】
【００１０】
次に、本発明に係る空冷式の装置につき、好適な実施例を挙げて、添付図面を参照して以下に説明する。なお実施例では、空冷式の装置として電磁調理器を例に挙げて説明する。
【実施例】
【００１１】
図１〜図５に示すように、実施例の電磁調理器１０は、その本体部分をなす筐体１２が、枠体に薄板材を組合わせて形成した上方に開放する箱状体１４と、この箱状体１４の上部開口１４ａを覆うように配設され、鍋やフライパン等の被加熱物を載置するトッププレート１８を有する天板１６とから構成される。また、箱状体１４の前面には、後述する操作手段３４の設置基体となるフロントパネル２２が箱状体１４に対して着脱可能に配設されている。筐体１２の内部には、トッププレート１８の下方に位置して、高周波磁界を発生して、該トッププレート１８に載置した被加熱物に誘導電流を生じさせる加熱コイルユニットＫＵや、この加熱コイルユニットＫＵの下方に位置して、該加熱コイルユニットＫＵに電流を供給するインバータユニットＩＵ等の機器が配設されている(図４参照)。
【００１２】
前記天板１６は、例えばステンレス等の金属板からなり、箱状体１４と略同一の幅寸法であって、その前後方向の長さ寸法は箱状体１４より大きく設定され、またその後縁部には上方に突出する立上がり部１６ａが一体的に形成されている。立上がり部１６ａの背面下部には、箱状体１４の背面上部において後方に延出する延出片２４の上面に左右に離間配置した一対の係合突起２６,２６に対応して、左右に離間して一対の係合片２０,２０が配設されている(図１参照)。各係合片２０は、側面視において略Ｌ字状の部材であって、上下方向に延在する一方の面が立上がり部１６ａの背面に固定されると共に、後方へ突出する他方の面に、後方へ開放する凹溝２０ａが開設されている。一方、実施例の係合突起２６は、係合片２０の凹溝２０ａに嵌合する所謂ネジカラーが採用される。また立上がり部１６ａは、その上端に後方へ延在する規制片１６ｄを有し、電磁調理器１０を設置した際に、その後側に位置する壁面と規制片１６ｄが当接することで、箱状体１４の背面と壁面との間に後述する排気口１２ｂから排出した空気の流通し得る隙間が画成される。なお、立上がり部１６ａの上部および規制片１６ｄには、排気口１２ｂから箱状体１４と壁面との隙間へ排出した空気を該隙間から外部へ放出する複数の排気孔１７が開設されている。
【００１３】
前記天板１６には、前および左右の端縁部に下方に延出するフランジ部１６ｂ,１６ｃ,１６ｃが一体的に形成される。天板１６の前側に位置する前フランジ部１６ｂは、その中間部分が前方へ膨らむように湾曲形成されると共に、その終端が後方へ所定長さだけ延在している。前フランジ部１６ｂの終端には、一対の固定片１６ｅ,１６ｅが左右に離間して形成され、固定片１６ｅ,１６ｅは略垂直に延在して箱状体１４の前面に臨んでいる。また、天板１６における左右の側縁に位置する横フランジ部１６ｃ,１６ｃは、略垂直に延在し、天板１６を箱状体１４に取付けた際に、箱状体１４を側方から挟み込むようになっている。そして、天板１６は、前方から後方へスライド移動させて、各係合片２０の凹溝２０ａと箱状体１４の係合突起２６とを対応的に係合することで後部を固定すると共に、箱状体１４の前面に当接させた各固定片１６ｅの通孔(図示せず)にネジ２８を挿通し、箱状体１４の前面に設けたネジ孔(図示せず)に夫々螺合することで、前部が箱状体１４に固定される(図３参照)。すなわち天板１６は、箱状体１４の横側に壁面や他の機器が密着していても、箱状体１４に対して前側からの作業のみで簡単に組付けできるように構成される。
【００１４】
前記天板１６において、加熱コイルユニットＫＵの上方に対応する部位が、所要寸法で開口し、この開口部を画成する縁辺に、天板１６の上面から一段下がった段付部１６ｆが形成されている(図４参照)。天板１６の開口部には、熱膨張が小さく電磁波を良好に透過するガラス等からなるトッププレート１８が、段付部１６ｆにより周縁部が支持された状態で配設され、天板１６とトッププレート１８との間の隙間は、シリコン等により防水処理が施されると共に両者が接着される。また、段付部１６ｆにおける裏面の適宜位置には、側面視において略Ｌ字状の支持片３０が溶接またはネジやリベット等の接合部材を用いてその一方の面が固定され、他方の面が箱状体１４の内部において下方に延在している。箱状体１４の内部には、支持片３０に対応する位置に、上方に突出したステイ３２が配設されている。そして、ステイ３２と支持片３０における他方の面とをネジ等の接合部材で互いに連結することで、支持片３０およびステイ３２が天板１６にかかる荷重を支持する補強部材として機能する(図３参照)。
【００１５】
前記筐体１２の上面は、清掃性を鑑みて略平坦に形成されるが、トッププレート１８の上面は、天板１６の上面より若干(０．５ｍｍ〜１ｍｍ程度)高くなるように設定され、トッププレート１８に被加熱物を載置した際に、該被加熱物が天板１６の上面に接触しないようになっている。すなわち、加熱された被加熱物から天板１６に直接熱伝導することを防止し、被加熱物の移動に際しても天板１６の上面の傷付けを回避し得る。
【００１６】
前記フロントパネル２２は、薄板材を折曲して形成した略矩形状の箱体である。またフロントパネル２２は、天板１６を箱状体１４に配設した際に、該天板１６における箱状体１４の前面から前方へ突出する前フランジ部１６ｂの底面に開設した開口に、その上部を嵌合した状態で箱状体１４の前面に配設される。すなわちフロントパネル２２の上部は、箱状体１４に固定しなくても天板１６で支持されると共に、前フランジ部１６ｂで画成される内部空間に臨み、清掃時や被加熱物からの吹きこぼれ等に際して、前フランジ部１６ｂを伝って流下した水等や異物がフロントパネル２２の内部に侵入しないようになっている。
【００１７】
前記フロントパネル２２には、押しボタン等のスイッチ部３６、液晶パネルや表示ランプ等の表示部３８や加熱出力調節用のダイヤル部４０を備えた操作手段３４が設置される(図２参照)。電磁調理器１０は、操作手段３４を適宜操作することで、加熱または停止や温度調節等の所要の制御を行ない得るようになっている。ダイヤル部４０は、フロントパネル２２の前面に開設した円形の取付穴２２ａに嵌め込んだ摘み部材４２と、この摘み部材４２の後側に配設され、該摘み部材４２の回動に応じて所定の信号を送る可変ボリューム４４とから構成される(図４参照)。摘み部材４２は、円形の部材であって、フロントパネル２２の前面側に露出する前部は使用者が把持し易い形状に形成されると共に、その後部には後方へ向けて開放する孔部４２ａが開設される。可変ボリューム４４には、前方へ延出する軸部４４ａが設けられ、この軸部４４ａを摘み部材４２の孔部４２ａにスペーサ４６を介して嵌合し、摘み部材４２と可変ボリューム４４とが連結される。また、摘み部材４２の後面には、その周端縁から所定距離だけ半径方向内方に位置する部位の全周に亘って、後方へ向けて延出したリブ４２ｂが一体的に形成され、該リブ４２ｂの直径が取付穴２２ａの直径と略同一に設定される。
【００１８】
前記摘み部材４２は、フロントパネル２２の前側から取付穴２２ａに挿入されて、リブ４２ｂの外周縁が取付穴２２ａを画成するフロントパネル２２の縁辺と当接すると共に、リブ４２ｂより半径方向外方に位置する端縁がフロントパネル２２の前面に当接して、後方への移動が規制される。そして、リブ４２ｂにおいて、フロントパネル２２の内部に臨む部位には、ドーナツ状のリング部材４８が取付けられ、摘み部材４２と取付穴２２ａとの隙間からフロントパネル２２の内部へ侵入した水等が摘み部材４２に沿って後方へ伝うのを防ぐよう構成される。また、リング部材４８がフロントパネル２２の内面に当接することで、摘み部材４２の前方への移動が規制される。ここで、リング部材４８は、ゴム等の弾力性を有する材料が採用され、リブ４２ｂに取付けた際に可変ボリューム４４側への水等の伝達を防ぐ壁として機能するものであればよく、所謂Ｏリングが好適に採用される。このように、摘み部材４２の周縁近傍にリブ４２ｂを設けると共に、このリブ４２ｂにリング部材４８を取付けることで、摘み部材４２の後側に配設した電気部品である可変ボリューム４４の水濡れを回避している。なお、操作手段３４において、スイッチ部３６や表示部３８は、樹脂等の薄膜によりフロントパネル２２の前面と一体的にラミネートすることで、スイッチ部３６等とフロントパネル２２との間の隙間が埋められ、水等が内部に侵入しないようになっている。
【００１９】
前記筐体１２には、箱状体１４の底面における前側に偏倚した部位に吸気口１２ａが開設されると共に、箱状体１４の背面における上側に偏倚した部位に排気口１２ｂが開設されている(図４参照)。吸気口１２ａおよび排気口１２ｂは、筐体１２において互いに離間した位置に設けられ、筐体１２の内部における空気流通経路を長くして空気流が短絡しないように設定される。また、加熱コイルユニットＫＵおよびインバータユニットＩＵの前側には、冷却ファン５０が設置されている。そして、筐体１２の内部には、冷却ファン５０の駆動時に、吸気口１２ａから取込んだ空気を、加熱コイルユニットＫＵおよびインバータユニットＩＵに接触させた後、熱交換後の空気を排気口１２ｂから排出させるように空気を流す空気流通経路が形成される。
【００２０】
前記吸気口１２ａに、塵埃や害虫等の異物の侵入を防止する吸気用フィルタ５２が該吸気口１２ａを覆うように配設されると共に、排気口１２ｂにも同様に排気用フィルタ５４が該排気口１２ｂを覆うように配設されている。吸気用フィルタ５２および排気用フィルタ５４は、樹脂や金属等からなる略矩形状の枠体の間に、網や不織布等の所定のメッシュサイズを有する捕捉体を配設したものであって、排気用フィルタ５４のメッシュサイズは、吸気用フィルタ５２のメッシュサイズ以上の大きさ(粗くなる)に設定される。また、排気用フィルタ５４のメッシュサイズは、排気口１２ｂから侵入が想定される異物の大きさより小さい寸法であって、排気口１２ｂからの空気の排出を阻害しない程度に設定される。ここで、両フィルタ５２,５４のメッシュサイズとは、フィルタ５２,５４の流通路となる空隙の大きさであって、その大きさは網目状に均一であっても、不均一であってもよく、不均一の場合は、空隙における最大のものについて、排気口１２ｂから侵入が想定される異物の大きさより小さい寸法に設定される。
【００２１】
吸気用フィルタ５２および排気用フィルタ５４は、枠体における左右の端部を鉤状の保持片５６,５６で着脱自在に支持される(図１または図２参照)。吸気用フィルタ５２を支持する一対の保持片５６,５６は、吸気口１２ａを画成する筐体１２の底面において、吸気口１２ａの左右に近接する位置に前後方向に延在して夫々設けられる。また、吸気用フィルタ５２は、その各側縁を保持片５６と筐体１２の底面とがなす空間に嵌挿され、前後方向にスライド自在に保持される。これに対し、排気用フィルタ５４を支持する一対の保持片５６,５６は、排気口１２ｂを画成する筐体１２の背面において、排気口１２ｂの左右に近接する位置に上下方向に延在して夫々設けられる。そして、排気用フィルタ５４は、その各側縁を保持片５６と筐体１２の背面とがなす空間に嵌挿され、上下方向にスライド自在に保持される。
【００２２】
前記加熱コイルユニットＫＵおよびインバータユニットＩＵは、前方および左右の側方が、後方に開放する平面視において略コ字状の枠材５８により囲繞されている(図５参照)。また枠材５８には、左右の側板の後縁に夫々連設してエアガイド６０,６０が後方に延在し、枠材５８の後縁と箱状体１４の背面との間の隙間を塞いでいる。左右のエアガイド６０,６０の間には、排気口１２ｂが位置するようになっている。更に、枠材５８およびエアガイド６０,６０は、筐体１２の内部において上下方向に亘って延在しており、その上端は後述するパッキン材６２を介して天板１６およびトッププレート１８の裏面に当接している。そして、枠材５８の前面には、筐体１２の前側から後側へ向けて空気流を生起する冷却ファン５０が配設され、この冷却ファン５０に合わせて枠材５８に空気流通口５８ａが開設されている。すなわち、筐体１２の内部には、吸気口１２ａから冷却ファン５０に至る第１の空気流通路６４と、枠材５８および両エアガイド６０,６０で囲まれた冷却ファン５０から排気口１２ｂに至る第２の空気流通路６６とが画成される。
【００２３】
前記パッキン材６２は、弾力性およびクッション性を有する部材であって、シリコンスポンジテープやゴム成形品等が採用され、接着剤により枠材５８およびエアガイド６０,６０の上端に接合される。またパッキン材６２は、その上下の高さが枠材５８またはエアガイド６０,６０の上端と天板１６またはトッププレート１８の裏面とがなす隙間より大きい寸法に設定される。そして、箱状体１４に天板１６を取付けた際に、パッキン材６２が天板１６またはトッププレート１８に圧縮されつつ、枠材５８またはエアガイド６０,６０の上端と天板１６またはトッププレート１８の裏面とがなす隙間を塞ぐようになっている。
【００２４】
前記電磁調理器１０は、筐体１２の底面における各角隅部に近接する部位に脚部６８が夫々設けられ、該脚部６８により筐体１２の底面と設置面との間が所要間隔離間されて、吸気口１２ａに空気が流通し得るよう構成される。実施例の脚部６８は、箱状体１４の内底面に固定したナットである固定部７０に螺合した六角ボルトであって、周方向に回転させて固定部７０からの突出寸法を変えることで、筐体１２の水平や高さを適宜調節し得るようになっている。また、筐体１２の外底面と脚部６８との間には、スペーサ７２が介挿され、このスペーサ７２の厚さ以下は脚部６８の突出寸法を短くできないよう構成される。ここで、筐体１２の底面と設置面との最小の離間距離(実施例では３０ｍｍ程度)は、脚部６８をなす六角ボルトの頭部とスペーサ７２の厚さによって規定され、最小の離間距離において吸気口１２ａから空気を充分に取込み得る距離を確保できる厚さに設定される。実施例のスペーサ７２としては、ナットが採用されており、スペーサ７２を介して固定部７０に脚部６８を螺合することで、固定部７０とスペーサ７２とが底面を更に締付けるダブルナットとして機能し、脚部６８の緩みを防止し得る。なお、筐体１２の底面と設置面との離間距離は、筐体１２の内部に配設した機器や冷却ファン５０の能力や吸気口１２ａの流通空気量等の諸条件を鑑みて適宜設定される。このように、脚部６８、固定部７０およびスペーサ７２に汎用的な規格品を用いることで、代替が容易であって、コストを低減し得る。
【００２５】
前記箱状体１４の背面下部には、排気口１２ｂから排出した空気が該筐体１２の底面と設置面との空間を介して前側に回り込まないように規制する遮蔽板７４が設けられている。遮断板７４は、箱状体１４の幅寸法と略同一に設定した矩形状の板材であって、左右方向に離間して上下方向に延在する長孔７４ａ,７４ａが開設されている(図１参照)。そして、長孔７４ａに挿通した固定ネジ７６を、箱状体１４の背面に設けたネジ孔(図示せず)に螺合することで、遮蔽板７４は箱状体１４に対して上下方向にスライド可能に配設される。また遮蔽板７４は、箱状体１４の底面から下方に常に突出した状態にあって、この突出寸法は、前述した筐体１２の底面と設置面との最小の離間距離より小さくならないように設定される。すなわち、遮蔽板７４の突出寸法より脚部６８の突出寸法を小さくできない関係上、筐体１２の底面と設置面との間に、吸気口１２ａへの空気の流通に必要とされる空間が必ず形成される。
【００２６】
〔実施例の作用〕
次に、実施例に係る空冷式の装置の作用について説明する。操作手段３４を操作して、トッププレート１８に載置した被加熱物の加熱を開始すると同時に、冷却ファン５０が駆動される。吸気口１２ａから外部空気が筐体１２の内部に取込まれ、第１の空気流通路６４から第２の空気流通路６６に到来する。ここで吸気口１２ａには、吸気用フィルタ５２を配設してあるから、吸気に伴う吸気口１２ａからの異物の侵入を防止し得る。しかも、脚部６８に設けたスペーサ７２および遮蔽板７４とにより、筐体１２の底面と電磁調理器１０の設置面との離間間隔は、前記加熱コイルユニットＫＵやインバータユニットＩＵ等の機器の冷却に必要とされる空気量が流通し得る寸法に確保されているから、該機器の充分な空冷を達成し得る。
【００２７】
また、第２の空気流通路６６において、加熱コイルユニットＫＵおよびインバータユニットＩＵと熱交換することで昇温した空気(高温空気)は、枠材５８およびエアガイド６０,６０に案内されて排気口１２ｂから排出される。ここで、高温空気は、枠材５８、エアガイド６０,６０およびパッキン材６２に画成された第２の空気流通路６６を流通して排気口１２ｂから排出されるから、高温空気が冷却ファン５０により第１の空気流通路６４に再び取込まれるショートパスを回避し、所要の冷却効率を維持し得る。しかも、筐体１２の背面には、筐体１２に底面と設置面と間の空間を塞いで遮蔽板７４が配設されているから、排気口１２ｂから排出した高温空気が吸気口１２ａから取込まれることはない。このように、電磁調理器１０は、側方および後側に壁や他の機器が密着して設置した環境下であっても、排出した高温空気を再び取込むことなく、所要の冷却効率を維持し得る。また、枠材５８およびエアガイド６０,６０と天板１６およびトッププレート１８との間に、パッキン材６２を介在させることで、枠材５８、エアガイド６０,６０および加熱コイルユニットＫＵやインバータユニットＩＵ等の機器の加工誤差や取付誤差をある程度許容し得る。しかも、トッププレート１８に被加熱物を載置した際に、パッキン材６２が緩衝材としても機能するから、トッププレート１８にかかる負荷を軽減し得る。しかも、天板１６は、段付部１６ｆが支持片３０とステイ３２とで支持されているから、トッププレート１８に被加熱物を載置した際の天板１６の撓みを抑制し得る。更に、支持片３０は段付部１６ｆの裏面に固定されているから、ネジや溶接の溶接痕等がトッププレート１８に覆われて天板１６の意匠面に現われることなく、溶接痕等の処理の手間を省けると共に、天板１６を略平坦にでき、清掃性を損うことはない。
【００２８】
前記筐体１２には、排気口１２ｂにも排気用フィルタ５４が設けられ、冷却ファン５０を停止して排気口１２ｂから排気していない状態であっても、排気口１２ｂからの異物の侵入を防止し得る。すなわち、異物が筐体１２の内部に侵入することはないから、機器に異物が付着することによる冷却効率の低下や回路のショート等による故障を防止し得る。また、排気用フィルタ５４のメッシュサイズを、吸気用フィルタ５２のメッシュサイズ以上の大きさに設定することで、筐体１２の内部に空気が滞留することなく、機器と熱交換した高温空気を外部に良好に排出し得るから、冷却効率がよく、機器の異常昇温を回避し得る。
【００２９】
前記天板１６は、箱状体１４に対して前側からの作業だけで着脱し得るよう構成されているから、製造現場における組立作業性が高く、また横側に壁や他の機器が密着していても、電磁調理器１０を移動させることなく天板１６を箱状体１４から取外し得るので、電磁調理器１０の設置後のメンテナンスを容易に行ない得る。フロントパネル２２は、天板１６の前フランジ部１６ｂに嵌合し、その上部が前フランジ部１６ｂの内部空間に臨んでいるから、フロントパネル２２の上部を固定するネジ等の固定手段を省略でき、コストを低減し得る。また、天板１６とフロントパネル２２の継目から水等や異物が侵入することなく、フロントパネル２２の内部に配設した操作手段の電気部品への水掛かり等による故障を回避し得る。
【００３０】
なお本発明では、前述した実施例で説明した電磁調理器に限られるものではなく、種々の変更が可能である。
(１)実施例では、空冷式の装置として電磁調理器を例に挙げて説明したが、吸気口から吸込んだ空気が排気口から排出されるまでの過程で筐体の内部に配設した機器が冷却されるものであれば、冷蔵庫や製氷機やその他装置であってもよい。
(２)実施例では、被加熱物を加熱する加熱部分が１つである所謂１コ口の場合を説明したが、加熱部分が筐体の幅方向に２つ以上並んだ複数コ口についても前述した構成を適用し得る。
(３)実施例の電磁調理器は、カウンタに載置する所謂カウンタタイプについて説明したが、床置き式のローレンジタイプやテーブルタイプのものであってもよい。
(４)筐体に設ける吸気口および排気口の位置は、実施例の配置に限定されず、前面や側面その他の適宜位置に設定し得る。
(５)複数コ口の加熱部分を備えている場合、天板を補強する支持片を、隣り合う段付部の間に渡して固定すると共に、この支持片をステイで支持することで、隣り合う加熱部分の間を好適に補強し得る。  
【図面の簡単な説明】
【００３１】
【図１】本発明の好適な実施例に係る電磁調理器を背面側から示す概略斜視図である。
【図２】実施例の電磁調理器を底面側から示す概略斜視図である。
【図３】図１のＡ−Ａ線断面図である。
【図４】図１のＢ−Ｂ線断面図である。
【図５】実施例の電磁調理器において、天板を取外して筐体の内部を示す概略斜視図である。
【符号の説明】
【００３２】
１２ 筐体，１２ａ 吸気口，１２ｂ 排気口，５２ 吸気用フィルタ，
５４ 排気用フィルタ，ＫＵ 加熱コイルユニット(機器)，
ＩＵ インバータユニット(機器)，
【図１】
2007018765.tif 000003
【図２】
2007018765.tif 000004
【図３】
2007018765.tif 000005
【図４】
2007018765.tif 000006
【図５】
2007018765.tif 000007